(57)【要約】【課題】清掃持続性が優れると共に凹凸面に対する洗浄性に優れた床用清掃シートを提供する。【解決手段】あらかじめ水を３０重量／体積％を含浸すると共にさらにそれ以上に水を吸収できる吸水能を有する湿式シート２を備え、湿式シート２は床との接地面２ｂに複数の溝４を有し、接地面２ｂは床との接地面積比率が３０〜９０％の範囲であり、溝の深さＤが３〜８ｍｍの範囲であると共に溝の幅Ｗが０．１〜１０ｍｍの範囲であることを特徴とする床用清掃シート１。【選択図】図１
2009153686.tif 000002
【特許請求の範囲】
【請求項１】
清掃用具の清掃部に装着されて使用される床用清掃シートであって、
あらかじめ水を３０重量／体積％を含浸すると共にさらにそれ以上に水を吸収できる吸水能を有する湿式シートを備え、
前記湿式シートは床との接地面に複数の溝を有し、
前記接地面は床との接地面積比率が３０〜９０％の範囲であり、
前記溝の深さＤが３〜８ｍｍの範囲であると共に溝の幅Ｗが０．１〜１０ｍｍの範囲であることを特徴とする床用清掃シート。
【請求項２】
前記湿式シートの吸水能が０．５ｃｍ／ｃｍ２以上であることを特徴とする請求項１に記載の床用清掃シート。
【発明の詳細な説明】
【技術分野】
【０００１】
本発明は、モップ状の掃除用具に装着されて用いられる取替え式の床用清掃シートであり、更に詳しくは、床上清掃持続性及び凸凹の洗浄性能に優れた発泡性樹脂を活用した床用清掃シートの改良に関する。
【背景技術】
【０００２】
従来から一般の家庭では、床（フロア）の掃除用具として洗浄部使い捨て型床用モップが使用されている。そして、フロアのざらつき汚れやベタツキ汚れを簡便に除去するために、あらかじめ洗浄液を含浸させた不織布をモップ本体にとりつけた水拭き用の清掃用シートが広く用いられている。
【０００３】
しかし、不織布を用いた清掃用シートは、不織布にあらかじめ含浸された洗浄液の量が十分ではないため、上述のざらつき汚れやベタツキ汚れを好適に除去できるのは使い始めの数畳程度の範囲のみであり、清掃力の持続性に問題があった。
【０００４】
また、不織布を用いた清掃用シートは、掃除用具に取付けることにより、清掃面が平面になってしまう。このため、例えばサッシの桟の凹凸に入り込んだ汚れを除去できず、凹凸面に対して充分な洗浄性が発揮することができないという問題があった。
【０００５】
ところで、発泡性樹脂を用いた清掃用具に係る公知文献として、例えば下記特許文献１〜３が知られている。
このうち、特許文献１には、板の下面に凹凸を設けたスポンジを接着した洗車用ブラシが開示されている。これにより、摩擦が小さく洗車しやすい洗車用ブラシが得られると記載されている。
一方、特許文献２には、高吸水性軟質ポリウレタンフォームよりなる車拭き取り素材が開示されている。これにより、車の拭き取り等において疲労感を感じることなく、また拭きムラや塗りムラがなく、車の清掃を効率的に行うことができると記載されている。
一方、特許文献３には、親水性を有するポリウレタンフォームを元の厚さの５〜８０％に圧縮成形し、これを所望の形状に切断したポリウレタンフォーム洗浄具が開示されている。これにより、均質で精確な水の吸水性の高いポリウレタンフォームシートが得られると記載されている。
【特許文献１】特開平８−１４２８０８号公報
【特許文献２】特開２００４−９８４０号公報
【特許文献３】特開平１０−１１３３２０号公報
【発明の開示】
【発明が解決しようとする課題】
【０００６】
しかしながら、何れの特許文献１〜３も、吸水性に優れる発泡性樹脂を用いた洗浄用具であっても車の清掃に関するものであり、使用用途が異なっている。また、上述した課題を解決すること、すなわち清掃持続性の改善及び凹凸面の洗浄性の改善がされた床用清掃シートを提供することについては開示されておらず、示唆もされていない。
【０００７】
そこで、本発明は、このような従来の事情に鑑みて提案されたものであり、清掃持続性が優れると共に凹凸面に対する洗浄性に優れた床用清掃シートを提供することを目的とする。
【課題を解決するための手段】
【０００８】
本発明者らは、上記目的を達成するため鋭意検討した結果、特定の発泡性樹脂を用いることにより、上記目的を達成できることを知見し、本発明に至ったものである。
すなわち本発明の床用清掃シートは、清掃用具の清掃部に装着されて使用される床用清掃シートであって、あらかじめ水を３０重量／体積％を含浸すると共にさらにそれ以上に水を吸収できる吸水能を有する湿式シートを備え、湿式シートは床との接地面に複数の溝を有し、接地面は床との接地面積比率が３０〜９０％の範囲であり、溝の深さが２〜８ｍｍの範囲であると共に溝の幅が０．１〜１０ｍｍの範囲であることを特徴とする。
【０００９】
本発明に係る床用清掃シートは、あらかじめ水を３０重量／体積％を含浸すると共にさらにそれ以上に水を吸収できる吸水能を有する湿式シートを備えている。このように吸水性に優れるシートを用いているため、乾いた床を水拭きできると共に濡れた床の水分を吸い取ることができる。これにより、床への清掃力持続性が向上することができる。
また、湿式シートは、床との接地面に溝の深さが３〜８ｍｍの範囲であると共に溝の幅が０．１〜１０ｍｍの範囲である複数の溝を有し、接地面は床との接地面積比率が３０〜９０％の範囲とされている。このように、床との接地表面積を下げることにより、床の凹凸部の汚れに対して優れた除去性能を発揮することができる。
【００１０】
また、本発明に係る床用清掃シートは、湿式シートの吸水能が０．５ｃｍ／ｃｍ２以上であることが好ましい。
この場合、床の清掃において、１１ｍ２以上の清掃持続力を発揮することができる。
【発明の効果】
【００１１】
以上のように、本発明によれば、清掃持続性が優れると共に凹凸面に対する洗浄性に優れた床用清掃シートを提供することができる。
【発明を実施するための最良の形態】
【００１２】
以下、本発明を適用した床用清掃シートについて、図面を参照して詳細に説明する。
図１は、本発明を適用した一実施形態を示す床用清掃シートの斜視図である。また、図２は、本発明を適用した一実施形態を示す床用清掃シートの平面図である。さらに、図３は、湿式シートの吸水能の測定方法を示す斜視図である。なお、以下の図１〜図３は本発明の実施形態の構成を説明するためのものであり、図示される各部の大きさ、厚さ、寸法等は、実際の床用清掃シートの寸法関係とは異なる場合がある。
【００１３】
図１に示すように、本発明を適用した床用清掃シート１は、図示しない清掃用具の清掃部に装着する装着面２ａと床と接触する接地面２ｂとを有する湿式シート２から概略構成されている。具体的には、床用清掃シート１は、発泡性樹脂からなると共に水性洗浄剤が含浸されている湿式シート２から構成されている。また、清掃持続性を得るため、床用清掃シート１は、吸水性に優れた湿式シート２から構成されることが好ましい。
【００１４】
＜湿式シート＞
湿式シート２は、図１に示すように、長方形のシート形状を有しているが、特にこれに限定されるものではなく、床用清掃シート１を装着する清掃用具の清掃部の形状にあわせて適宜変更することが可能である。したがって、湿式シート２の大きさ、形状、厚みは、特に限定されるものではない。また、湿式シート２の接地面２ｂには、複数の接地部３と溝４とが交互に形成されている。
【００１５】
湿式シート２は、清掃持続性を保持するためあらかじめ水分を含浸させておくことが可能であると共に、水分を放出することができる素材である吸水性発泡性樹脂であることが好ましい。本実施形態の床用清掃シート１は、吸水性に優れた素材からなる湿式シート２に水性洗浄剤が含浸されて本実施形態の床用清掃シート１としての特性が発現する。
【００１６】
（吸水性発泡性樹脂）
湿式シート２を構成する吸水性発泡性樹脂には、ポリイソシアネートとポリオールを原料とし、ウレタン化、発泡化により生成するプラスチックフォームである硬質又は軟質ウレタンフォームである発泡性樹脂を適用することができる。また、ポリビニルアルコールにホルムアルデヒドを添加してアセタール化したＰＶＡスポンジ、さらには植物繊維で作られたセルローススポンジ等を適用することもできる。これらのいずれも、水を充分に含むことができるスポンジ、フォームであることが好ましい。
【００１７】
（表面の形状）
湿式シート２の床との接地面２ｂには、図１に示すように、複数の接地部３と溝４とが交互に形成されている。ところで、接地面２ｂに複数の溝４が形成されずに接地面２ｂが平滑面（フラット）である場合には、段差のある細い隙間に対して接地面２ｂが入り込むことができない。これにより、床の凹凸部分にたまっている汚れを掻き取ることができないという問題があった。したがって、接地面２ｂに幅Ｗ及び深さＤを規定した溝４を形成すると共に、接地面積比率、すなわち接地面２ｂにおける接地部３の面積比率を下記に説明する範囲に規定した。
【００１８】
溝４は、図１に示すように、湿式シート２を一部切り欠くようにして接地面２ｂに凹部を成すように複数形成されている。溝４（及び接地部３）のパターン形状は、特に限定されるものではないが、連続する平滑（フラット）な面から形成されることが好ましい。
また、溝４のパターンは、図１及び図２に示すように、床上で可動させる方向に対して、斜めに形成されていることが好ましい。これにより、床用清掃シート１は、床の凹凸部に対して可動性よく進入することができる。
【００１９】
溝４の深さＤは、図１に示すように、３〜８ｍｍの範囲であることが好ましく、３〜５ｍｍの範囲であることがより好ましい。溝４の深さＤが３ｍｍ未満では、床の凹凸部へのフィット感が得られず、８ｍｍを超えると平滑面を清掃する際のシートの安定感がなくなるため、好ましくない。これに対して上述の範囲であると、床の凹凸部へのフィット感が得られると共に平滑面を清掃する場合にも安定感が得られるために好ましい。
【００２０】
溝４の幅Ｗは、図１に示すように、０．１〜１０ｍｍの範囲であることが好ましい。溝４の幅Ｗが０．１ｍｍ未満では、床の凹凸部へシートが侵入できないため好ましくなく、１０ｍｍを超えると、溝４の間に形成されている接地部３の面積が少なくなるため、平滑面の清掃時に清掃面の安定性が得られないため好ましくない。これに対して上述の範囲であると、床の凹凸部へのシートの追従性と共に平滑面への安定性とが得られるために好ましい。
【００２１】
（接地面積比率）
以上のように、接地面２ｂは、図１に示すように、複数の溝４を有しており、溝４と溝４との間には接地部３が形成されている。すなわち、接地面２ｂには、複数の接地部３と溝４とが交互に形成されている。そして、上述したように接地面２ｂにおける接地部３の面積比率（又は、接地部３と溝３との面積比率）が接地面積比率である。
【００２２】
ここで、接地面２ｂの面積Ｓは、複数の接地部３の総面積３ｓと複数の溝４の総底面積４ｓとの和であり、Ｓ＝３ｓ＋４ｓと示すことができる。また、総面積３ｓは、図２に示すように、個々の接地部３の面積の総和であり、３ｓ＝３ｓ１＋３ｓ２＋…＋３ｓｍ−１＋３ｓｍと示すことができる。同様に、総面積４ｓは、個々の溝４の底面積の総和であり、４ｓ＝４ｓ１＋４ｓ２＋…＋４ｓｎ−１＋４ｓｎと示すことができる。したがって、接地面積比率は、３ｓ／Ｓ×１００（％）と示すことができる。なお、ｍとｎは整数であり、ｍ＝ｎ又はｍ＝ｎ±１の関係を有している。
【００２３】
接地面２ｂの床との接地面積比率は、３０〜９０％の範囲であることが好ましい。ここで、接地面積比率が３０％未満になると、接地部３の面積が小さくなるためにシートの拭く際の安定性が得られないため好ましくない。また、接地面積比率が９０％を超えると、接地部３の面積が大きくなるために床の凹凸部へシートが追従することができないため好ましくない。一方、接地面積比率が上記範囲内であると、特に、直線状に床を拭いたときに、床の清掃面が全面濡らすことができるため好ましい。
【００２４】
（吸水能）
湿式シート２は、水分を放出するだけでなく、あらかじめ水分を含浸させた状態からさらに水分を吸収できる素材であることが好ましい。このような素材でない場合には、清掃時に床に放出される水性洗浄剤が過剰となり、清掃後の床にベタツキが生じてしまうという問題が生じる。
【００２５】
床用清掃シート１の清掃持続性は、６畳（１１ｍ２）以上であることが好ましい。したがって、湿式シート２は、６畳以上の床を拭く事が可能な水分量を保持するために、あらかじめ３０重量／体積％の水分を吸収させている。例えば、湿式シート２が３ｇの水分を含んで膨らんだ状態の体積が１０ｃｍ３の場合に、水の含水量が３０重量／体積％となる。また、清掃時において床面に過剰の水分を残さないようにするために、上述のようにあらかじめ３０重量／体積％の水分を吸収させた湿式シート２が、なお水分を吸収できる能力（吸水能）を備えていることが好ましい。
【００２６】
湿式シート２（吸水性発泡性樹脂）の吸水能は、０．５ｃｍ／ｃｍ２以上であることが好ましい。
ここで、上述の吸水能の測定は、図３に示すように、あらかじめ３０重量／体積％の水分を吸収させた１０ｍｍ×１０ｍｍ×２５０ｍｍの湿式シート２の下部を水面に接触させて、さらにどれだけ水分を吸収できるかどうかを確認することにより行った。
より具体的には、先ず、１０ｍｍ×１０ｍｍ×２５０ｍｍの湿式シート２のサンプル芯材に、２５℃、６５％ＲＨの恒温恒湿室であらかじめ３０重量／体積％の水を含浸させる。次に、この湿式シート２を青色（色素名：ブリリアントブルーＦＣＦ；アイゼン製）に着色した水に接するように垂らして、２分後の青色水の浸透した高さ（ｃｍ）を測定する。この青色水の浸透した高さを吸水能とし、この数値を用いて湿式シート２の吸水性を判断する。そして、湿式シート２（吸水性発泡性樹脂）の吸収能が０．５ｃｍ／ｃｍ２以上であると、床の表面に過剰の水分を放出することなく、清掃持続力を維持することができるため好ましい。
【００２７】
＜水性洗浄剤＞
床用清掃シート１は使用時に、水性洗浄剤を含浸させて使用することができる。含浸させる水性洗浄剤は、水を媒体として、界面活性剤、アルカリ剤、増粘剤及び水溶性溶剤を含有することが望ましい。また、水性洗浄剤に含有される各成分は、全て実質的に水溶性であることが好ましい。さらに、水性洗浄剤中に含有される不揮発残留成分は、１０重量％以下であることが好ましく、１重量％以下であることがより好ましい。
【００２８】
界面活性剤は、特に限定されるものではなく、例えば、陰イオン界面活性剤、非イオン界面活性剤、陽イオン界面活性剤および両性界面活性剤の何れも用いることが可能である。そして、界面活性剤には、特に洗浄性と仕上がり性の両立の面から、ポリオキシアルキレン（アルキレンオキサイド付加モル数１〜２０）アルキル（炭素数８〜２２の直鎖又は分岐鎖）エーテル、ソルビタン脂肪酸（炭素数８〜２２の直鎖又は分岐鎖）エステル、アルキルカルボキシベタイン、アルキルスルホベタイン、アルキルヒドロキシスルホベタイン、アルキルアミドカルボキシベタイン、アルキルアミドスルホベタイン、アルキルアミドヒドロキシスルホベタイン等のアルキル炭素数８〜２４の両性界面活性剤を適用することが好ましい。また、界面活性剤は、水性洗浄剤中に０．０１〜１．０重量％の範囲で含有されることが洗浄性及び被清掃面の仕上がり性の面で好ましく、特に０．０５〜０．５重量％の範囲で含有されることが好ましい。
【００２９】
アルカリ剤は、特に限定されるものではなく、例えば、水酸化ナトリウム等の水酸化物、炭酸ナトリウム等の炭酸塩、硫酸水素ナトリウム等のアルカリ性の硫酸塩、第１リン酸ナトリウム等のリン酸塩、酢酸ナトリウム、コハク酸ナトリウム等の有機アルカリ金属塩、アンモニア、モノ、ジ又はトリエタノールアミン等のアルカノールアミン、２−アミノ−２−メチル−１−プロパノール等のβ−アミノアルカノール並びにモルホリン等を用いることが可能である。そして、アルカリ剤には、特に感触とｐＨの緩衝性の点でモノ、ジ又はトリエタノールアミン等のアルカノールアミン、２−アミノ−２−メチル−１−プロパノール等のβ−アミノアルカノール並びにモルホリンを適用することが好ましい。また、アルカリ剤は、水性洗浄剤中に０．０１〜１重量％の範囲で含有されることが洗浄性及び感触の面で好ましく、特に０．０５〜０．５重量％の範囲で含有されることが好ましい。
【００３０】
増粘剤は、特に限定されるものではなく、例えば、天然多糖類、セルロース系高分子及びデンプン系高分子、ビニル系高分子およびポリエチレンオキシド等のその他合成高分子、粘土鉱物等の水溶性高分子を用いることが可能である。そして、増粘剤には、特にベタツキ感、ヌルツキ感が低いという点で、ポリアクリル酸系増粘剤、もしくは、アクリル酸・メタクリル酸アルキル共重合体系増粘剤又はこれらの混合物を適用することが好ましい。また、増粘剤は、水性洗浄剤中に０．０１〜２重量％の範囲で含有されることが被清掃面の仕上がり性の点で好ましく、特に０．０２〜１重量％の範囲で含有されることが好ましい。
【００３１】
水溶性溶剤は、特に限定されるものではなく、一価アルコール、多価アルコール及びその誘導体から選ばれる１種以上のものを適用することが好ましい。そして水溶性溶剤には、例えば、エタノール、イソプロピルアルコール、プロパノール、エチレングリコールモノメチルエーテル、プロピレングリコールモノメチルエーテル等を適用することが好ましい。また、水溶性溶剤は、水性洗浄剤中に１〜５０重量％の範囲で含有されることが臭い及び皮膚刺激性の低減の点から好ましく、特に１〜２０重量％の範囲で含有されることが好ましい。
【００３２】
また、水性洗浄剤は、前述の各成分に加えて除菌剤を含有させることもできる。これによって、水性洗浄剤に、洗浄効果に加えて除菌効果を付与することができる。
【００３３】
除菌剤は、特に限定されるものではなく、例えば、過酸化水素、次亜塩素酸、次亜塩素酸ナトリウム、第４級アンモニウム塩、安息香酸ナトリウム、パラオキシ安息香酸ナトリウム、天然除菌剤等を用いることが可能である。そして除菌剤には、特に配合安定性と除菌性能の点から、第４級アンモニウム塩、天然除菌剤のポリリジン等を適用することが好ましい。また、除菌剤は、水溶性洗浄剤中に０．００５〜２重量％の範囲で含有することが除菌効果と皮膚刺激性低減とのバランスの点から好ましく、特に０．０１〜１重量％含有されることが好ましい。
【００３４】
更に、水溶性洗浄には、必要に応じて香料、防腐剤、色素（染料、顔料）、キレート剤、ワックス剤等を含有させることもできる。
更にまた、水性洗浄剤には、媒体として水が水性洗浄剤中に５０〜９９．９重量％の範囲で含有されることが被清掃面の仕上がり性の点から好ましく、特に８０〜９９重量％の範囲で含有されることが好ましい。
【００３５】
以上のような床用清掃シート１を用いて床の清掃を行う場合には、まず清掃用具の清掃部に装着面２ａを装着する。次に、接地面２ｂが床と接触させて、清掃用具の把手部分を持って前後左右に手を動かすといった清掃操作を行う。このようにして、床用清掃シート１によって床を清掃することができる。そして、床の凹凸部があったとしても、この床用清掃シート１の接地面２ｂをその凹凸部に接触させて清掃用具を操作することで、凹凸部の汚れもかきとることができる。
また、床用清掃シート１の洗浄力が落ちた場合には、使用済みのシートを清掃部から取り除いて新しい床用清掃シートを装着するという操作を行う。
【００３６】
以上説明したように、本実施形態の床用清掃シート１は、あらかじめ水を３０重量／体積％を含浸すると共にさらにそれ以上に水を吸収できる吸水能を有する吸水性発泡性樹脂からなる湿式シート２から構成されている。このように吸水性に優れる湿式シート２を用いているため、乾いた床を水拭きできると共に濡れた床の水分を吸い取ることができる。これにより、床への清掃力持続性を向上することができる。
また、本実施形態の湿式シート２には、床との接地面２ｂに深さＤが３〜８ｍｍの範囲であると共に幅Ｗが０．１〜１０ｍｍの範囲である複数の溝４を有し、接地面２ｂは床との接地面積比率が３０〜９０％の範囲とされている。このように、床との接地表面積を下げることにより、床の凹凸部の汚れに対して優れた除去性能を発揮することができる。
さらに、本実施形態に係る床用清掃シート１は、吸水性発泡性樹脂からなる湿式シート２の吸水能が０．５ｃｍ／ｃｍ２以上であるため、１１ｍ２以上の清掃持続力とすることができる。
【００３７】
以上のように、本実施形態の床用清掃シート１によれば、清掃持続性が優れると共に凹凸面に対する洗浄性に優れた床用清掃シート１を提供することができる。
また、本実施形態の床用清掃シート１は、各種洗浄用シート（床用ワイパー、ポリッシャー、自動掃除機）として、広く用いられることができる。
【００３８】
なお、本発明は、上記実施形態のものに必ずしも限定されるものではなく、本発明の趣旨を逸脱しない範囲において種々の変更を加えることが可能である。
例えば図４に示す床用清掃シート１１のように、湿式シート２の接地面２ｂの溝４の形状が当該湿式シート２の中心で左右対称形であっても良い。このように、床用清掃シート１１の有する溝４の形状が床用清掃シート１と異なる形状であった場合でも、接地面２ｂの床との接地面積比率が３０〜９０％の範囲であり、溝４の深さＤが３〜８ｍｍの範囲であると共に溝４の幅Ｗが０．１〜１０ｍｍの範囲であれば、上述した実施形態である床用清掃シート１と同様の効果を得ることができる。
【実施例】
【００３９】
以下に実施例及び比較例を示し、本発明の効果をより具体的に説明するが、本発明はこれらの実施例によって何ら限定されるものではない。
【００４０】
＜サンプル作成＞
先ず、表１に示す種々の発泡性樹脂（湿式シート）を用いて、本発明を適用した床用清掃シートを製造した。また、床用清掃シートの接地面には、図１に示すような形状の溝を形成し、床との接地面積比（％）、溝の深さＤ、溝の幅Ｗをそれぞれ組み合わせて、実施例１〜１４及び比較例１〜５とした。そして、これらの実施例１〜１４及び比較例１〜５について、それぞれ吸水能、清掃持続性、凹凸洗浄性の各性能評価を行った。評価方法及び評価基準について、以下に説明する。
【００４１】
【表１】
2009153686.tif 000003
【００４２】
＜吸水能＞
（評価方法）
表１に示した各発泡性樹脂ａ−１〜ａ−１０について、吸水能を測定した。吸水能の測定は、先ず、各発泡性樹脂ａ−１〜ａ−１０について１０ｍｍ×１０ｍｍ×２５０ｍｍのサンプル芯材を作成し、これにあらかじめ３０重量／体積％の水を含浸させた。次に、２５℃、６５％ＲＨの恒温恒湿室で、上述したサンプル芯材を青色（色素名：ブリリアントブルーＦＣＦ；アイゼン製）に着色した水に接するように垂らした（図３を参照）。そして、２分後の青色水の浸透した高さ（ｃｍ）を測定し、吸水能とした。
（評価基準）
吸水能は、上述した吸水能の数値が大きいほど吸水能が良いと判断した。そして、吸水能の評価基準は、０．５ｃｍ以上をＯＫ判定（合格）とし、０．５ｃｍ未満をＮＧ判定（不合格）とした。
【００４３】
＜清掃持続性＞
（評価方法）
実施例１〜１４及び比較例１〜５の床用清掃シートのサイズを１００ｍｍ×２５００ｍｍ×１０ｍｍとして、先ず、これらの各清掃シートにあらかじめ３０重量／体積％となるように洗浄液Ａを含浸させた。次に、これらの含浸したサンプルに１６６６ｇの荷重をかけて、フローリング板（松下電工製  ＮＥＷオーマイティフロアー  ＫＥ１２ＳＰ）で乾かずに拭き取れる面積（ｍ２）を求めた。そして、この面積を清掃持続性とした。
なお、床用清掃シートに含浸させる洗浄液Ａには、以下の組成のものを適用した。
「洗浄液Ａ」
塩化ベンザルコニウム：０．０５質量％
エタノール：                ５質量％
残部：                          水
（評価基準）
清掃持続性は、乾かずに拭き取れる面積の数値が大きいほど清掃持続性が高いと判断した。そして、清掃持続性の判断基準は、１１ｍ２以上広く拭けるものを合格とし、１１ｍ２未満を不合格とした。
【００４４】
＜凹凸洗浄性＞
（評価方法）
実施例１〜１４及び比較例１〜５の床用清掃シートのサイズを６０ｍｍ×１００ｍｍ×１０ｍｍとして、先ず、これらの各清掃シートにあらかじめ３０重量／体積％となるように上記の洗浄液Ａを含浸させた。次に、幅２ｍｍ×深さ２ｍｍ×長さ２０ｍｍの四角形の溝を有するモデルレール部にＪＩＳ試験用ダスト７種（１．５ｇ）を溝が埋まるように散布した。さらに、洗浄液Ａを含浸した各清掃シートに４００ｇの荷重をかけながらモデルレール部を５往復こすった際の汚れ除去率を重量法にて測定した。そして、この汚れ除去率を凹凸洗浄性とした。
（評価基準）
凹凸洗浄性は、汚れ除去率が高いほど凹凸洗浄性が高いと判断した。そして、凹凸洗浄性の判断基準は、汚れ除去率が７０〜１００％の範囲が合格とし、７０％未満を不合格とした。
【００４５】
＜評価結果＞
発泡性樹脂ａ−１〜ａ−１０の吸水能の評価結果を表１に示す。また、これらの発泡性樹脂を用いた実施例１〜１４の清掃持続性及び凹凸洗浄性の評価結果を表２に示す。さらに、比較例１〜５の清掃持続性及び凹凸洗浄性の評価結果を表３に示す。
【００４６】
表１に示すように、発泡性樹脂ａ−１〜ａ−９については、吸水能がＯＫ判定であるのに対して、ａ−１０は、吸水能がＮＧ判定であった。
この吸水能が低い発泡性樹脂ａ−１０を用いた比較例１の床用清掃シートは、表３に示すように、床との接地面積、溝の深さＤ、溝の幅Ｗのいずれもが本発明の数値範囲内であるにも関わらず、清掃持続性及び凹凸洗浄性が不合格となった。
【００４７】
また、比較例２は、溝の幅Ｗ、溝の深さＤが共に０ｍｍであり、床との接地面積比が１００％となっている。これにより、モデルレールに形成された溝へのシートの追従性が悪いため、凹凸洗浄性が不合格となった。
比較例３は、床との接地面積比が２０％となっている。これにより、拭き心地が不安定となり、それに伴って清掃持続性及び凹凸洗浄性が不合格となった。
【００４８】
比較例４は、溝の深さＤが２ｍｍであり、本発明の数値範囲の下限値（３ｍｍ）未満である。また、溝の幅Ｗが２０ｍｍであり、本発明の数値範囲の上限値（１０ｍｍ）を超えている。これにより、モデルレールに形成された溝へのシートの追従性が悪いため、凹凸洗浄性が不合格となった。
比較例５は、溝の深さＤが１０ｍｍであり、本発明の数値範囲の上限値（８ｍｍ）を超えている。また、溝の幅Ｗが２０ｍｍであり、本発明の数値範囲の上限値（１０ｍｍ）を超えている。これにより、溝の大きさ（深さＤ×幅Ｗ）が大きいために吸水能が下がるため、清掃持続性が不合格となった。また、モデルレールに形成された溝へのシートの追従性が悪いため、凹凸洗浄性が不合格となった。
【００４９】
これに対して、実施例１〜１４は、いずれも吸水能が０．５ｃｍ／ｃｍ２以上であり、床との接地面積比が３０〜９０％の範囲であり、溝の深さＤが３〜８ｍｍの範囲であり、溝の幅Ｗが０．１〜１０ｍｍの範囲であって、本発明の数値範囲を満たしている。このため、表２に示すように、実施例１〜１４はいずれも清掃持続性が１１ｍ２以上であり、凹凸洗浄性が７０％以上となることを確認した。
【００５０】
以上説明したように、本発明の床用清掃シートは、清掃持続性および凸凹洗浄性に優れ、各種洗浄用シート（床用ワイパー、ポリッシャー、自動掃除機）として、広く用いられることができる。
【００５１】
【表２】
2009153686.tif 000004
【００５２】
【表３】
2009153686.tif 000005
【図面の簡単な説明】
【００５３】
【図１】図１は、本発明を適用した一実施形態を示す床用清掃シートの斜視図である。
【図２】図２は、本発明を適用した一実施形態を示す床用清掃シートの平面図である。
【図３】図３は、湿式シートの吸水能の測定方法を示す斜視図である。
【図４】図４は、本発明の変形例を示す床用清掃シートの平面図である。
【符号の説明】
【００５４】
１，１１…床用清掃シート、２…湿式シート、２ａ…装着面、２ｂ…接地面、３…接地部、４…溝、Ｓ…接地面の面積、３ｓ…接地部の総面積、４ｓ…溝の総底面積、Ｄ…溝の深さ、Ｗ…溝の幅
【図１】
2009153686.tif 000006
【図２】
2009153686.tif 000007
【図３】
2009153686.tif 000008
【図４】
2009153686.tif 000009